(57)【要約】【課題】取付け位置の自由度を高めることで、施工性の向上を図ることができる。【解決手段】上下に嵌合する上部組付け部材及び下部組付け部材３と、下部組付け部材３の底盤体３０に載置され、底板４１及び側板４２を有する溝形状の集砂受枠４とを備え、集砂受枠４の底板４１に形成された貫通穴４４に挿通可能な挿通ピン１１と、挿通ピン１１の一端に設けられていて、貫通穴４４よりも大径に形成された係止部１２と、挿通ピン１１の下端１１ａ側に設けられていて、挿通ピン１１が貫通穴４４に挿通された状態で底盤体３０に係合可能なスリット溝１３と、を備え、集砂受枠４を下部組付け部材３に対して保持する構成の取付部材１０を提供する。【選択図】図２
2014070386.tif 000002
【特許請求の範囲】
【請求項１】
上下に嵌合する上部組付け部材及び下部組付け部材と、該下部組付け部材の底盤体に載置され、底板及びその両側端から立設する側板を有する溝形状の集砂受枠と、を備え、地下において雨水を集めるとともに、外部に流出又は浸透させる雨水貯留浸透槽において、前記集砂受枠を前記下部組付け部材に対して保持するための集砂受枠の取付部材であって、
前記集砂受枠の底板に形成された貫通穴に挿通可能な挿通ピンと、
該挿通ピンの一端に設けられていて、前記貫通穴よりも大径に形成された係止部と、
前記挿通ピンの他端側に設けられていて、前記挿通ピンが前記貫通穴に挿通された状態で前記下部組付け部材の底盤体に係合可能な係合部と、
を備えていることを特徴とする集砂受枠の取付部材。
【請求項２】
前記底盤体は、底盤と、該底盤の上面に突設されたリブと、を有し、
前記係合部は、前記挿通ピンの他端から一端に向けて設けられたスリット溝であり、
該スリット溝は、前記下部組付け部材の前記リブに挿嵌することを特徴とする請求項１に記載の集砂受枠の取付部材。
【請求項３】
前記スリット溝の開口幅は、他端側から一端側に向かうに従い漸次、小さくなっていることを特徴とする請求項２に記載の集砂受枠の取付部材。
【請求項４】
前記挿通ピンの外周面には、前記係止部から下側に間隔をあけた部分に、前記挿通ピンの径方向外側に向けて突出する弾性変形可能な抜け防止凸部が形成されていることを特徴とする請求項１乃至３のいずれか１項に記載の集砂受枠の取付部材。
【請求項５】
前記係止部は、上面が球面状に形成されていることを特徴とする請求項１乃至４のいずれか１項に記載の集砂受枠の取付部材。
【請求項６】
前記貫通穴は、前記集砂受枠の幅方向の中央部分に設けられていることを特徴とする請求項１乃至５のいずれか１項に記載の集砂受枠の取付部材。
【発明の詳細な説明】
【技術分野】
【０００１】
本発明は、雨水貯留浸透槽における集砂受枠の取付部材に関するものである。
【背景技術】
【０００２】
従来、地下に埋設され、雨水を一時的に貯留し、その後、外部に流出或いは地中に緩やかに浸透させるための雨水貯留浸透槽が知られている。雨水貯留浸透槽は、上下に嵌合する組付け部材と、該組付け部材のうち下部組付け部材内に設けられ、底板及びその両側端から立設する側板を有する溝形状の集砂受枠と、を備え、集砂受枠を取付部材によって下部組付け部材に固定する構成のものがある。
【０００３】
このような取付部材として、例えば下記特許文献１に示されるように、下部組付け部材の底板において集砂受枠の幅方向の両外側に立設された壁状の治具取付部が設けられ、この治具取付部の外側上端に係止する係止部と、該係止部と一体に形成されて、集砂受枠の側板における上端部の内面側に当接する保持部と、を備え、集砂受枠の両側板同士を互いに離反するように広げた状態で、集砂受枠の上端部を取付治具の保持部と治具取付部の内面とで挟持することで集砂受枠を保持する治具がある。
【先行技術文献】
【特許文献】
【０００４】
【特許文献１】特開２００９−１３８３５４号公報
【発明の概要】
【発明が解決しようとする課題】
【０００５】
しかしながら、上述した従来の集砂受枠の取付部材では、以下のような問題があった。
すなわち、特許文献１の集砂受枠の取付部材は、集砂受枠の上端部を治具取付部から取付部材を介して幅方向（横方向）の外側に引っ張った状態で係止し、該上端部の側面を挟持している。つまり、取付部材は、集砂受枠の限られた所定位置にのみ固定することが可能であるため、取付け位置の自由度が少なく、施工性の優れた構造が求められており、その点で改善の余地があった。
【０００６】
本発明は、上述する問題点に鑑みてなされたもので、取付け位置の自由度を高めることで、施工性の向上を図ることができる集砂受枠の取付部材を提供することを目的とする。
【課題を解決するための手段】
【０００７】
上記目的を達成するため、本発明に係る集砂受枠の取付部材では、上下に嵌合する上部組付け部材及び下部組付け部材と、該下部組付け部材の底盤体に載置され、底板及びその両側端から立設する側板を有する溝形状の集砂受枠と、を備え、地下において雨水を集めるとともに、外部に流出又は浸透させる雨水貯留浸透槽において、前記集砂受枠を前記下部組付け部材に対して保持するための集砂受枠の取付部材であって、前記集砂受枠の底板に形成された貫通穴に挿通可能な挿通ピンと、該挿通ピンの一端に設けられていて、前記貫通穴よりも大径に形成された係止部と、前記挿通ピンの他端側に設けられていて、前記挿通ピンが前記貫通穴に挿通された状態で前記下部組付け部材の底盤体に係合可能な係合部と、を備えていることを特徴としている。
【０００８】
本発明に係る取付部材によれば、集砂受枠の貫通穴に挿通された挿通ピンの他端側に設けられる係合部が下部組付け部材の底盤体に係合した状態で、挿通ピンの一端に設けられる係止部が集砂受枠の底板の上側に位置するので、底板の上方への移動を係止部によって規制することができる。そのため、集砂受枠が何らかの外力を受けて浮き上がろうとするときに、底板が係止部の下面に当接し、集砂受枠が上方へ移動しないように上から押さえられるので、集砂受枠の浮き上がりを防止することができる。また、幅方向（横方向）へ移動しようとする集砂受枠の移動は、底板の貫通穴に挿通されている挿通ピンによって規制されることになる。
したがって、下部組付け部材に集砂受枠を取り付ける施工時や、集砂受枠を高圧ジェット等を用いて洗浄する時などに、集砂受枠に対して外力が作用しても、当該取付部材によって集砂受枠が保持され、浮き上がったり、幅方向にずれたりすることがなく、集砂受枠の位置や姿勢を維持することができる。
【０００９】
挿通ピンを挿通させるための貫通穴は、リブの位置など下部組付け部材の構成に合わせて適宜な位置に設けることが可能であり、取付部材の取付け位置の自由度を高めることができる。そのため、現場で貫通穴の位置を確認したうえで、容易に貫通穴を開ける施工が可能となり、施工性を向上させることができる。
また、係止部および係合部を備えた挿通ピンを底板の貫通穴に挿入するだけの簡単な構造により集砂受枠を保持することができるので、施工が容易であり、部材コストを低減することができる。
【００１０】
さらに、本発明では、雨水貯留浸透槽を構成する下部組付け部材に対して直接、取付部材を装着することができ、従来のように取付部材と組付け部材との間に、取付部材を取り付けるための別部材が不要となるので、部材費の増大を抑えることができる。
【００１１】
また、本発明に係る集砂受枠の取付部材では、前記底盤体は、底盤と、該底盤の上面に突設されたリブと、を有し、前記係合部は、前記挿通ピンの他端から一端に向けて設けられたスリット溝であり、該スリット溝は、前記下部組付け部材の前記リブに挿嵌することが好ましい。
【００１２】
この場合、スリット溝に下部組付け部材の底盤体に設けられたリブを挿嵌することで、挿通ピンと下部組付け部材とが固定されるので、挿通ピンが上方に向けて抜け出すのを防止することができる。とくに、集砂受枠の長手方向に沿う縦リブを取付部材のスリット溝に挿嵌させることで、取付部材の縦リブの延在方向に直交する幅方向への移動を規制することができ、集砂受枠をより確実に保持することができる。
また、この場合、リブの所定位置に挿通ピンを係合させることができるので、取付け位置に自由度をもたせることができる。
【００１３】
また、本発明に係る集砂受枠の取付部材では、前記スリット溝の開口幅は、他端側から一端側に向かうに従い漸次、小さくなっていることが好ましい。
【００１４】
このような構成とすることで、スリット溝がリブに対して楔状に挿嵌され、挿通ピンと下部組付け部材とが強固に固定されるので、挿通ピンが上方に向けて容易に抜け出すのを防止することができる。
【００１５】
また、本発明に係る集砂受枠の取付部材では、前記挿通ピンの外周面には、前記係止部から下側に間隔をあけた部分に、前記挿通ピンの径方向外側に向けて突出する弾性変形可能な抜け防止凸部が形成されていることが好ましい。
【００１６】
この場合、挿通ピンを底板の貫通穴に挿通させる際には、挿通ピンの外周面に形成されている抜け防止凸部を弾性変形させつつ貫通穴を通過させることで、抜け防止凸部と係止部とによって底板の貫通穴周囲の部分を挟持した状態で、取付部材を下部組付け部材に装着することができる。そのため、抜け防止凸部が底板の下側に位置し、挿通ピンの上方への抜けを確実に防止することができる。
【００１７】
また、本発明に係る集砂受枠の取付部材では、前記係止部は、上面が球面状に形成されていることが好ましい。
【００１８】
この場合には、係止部が集砂受枠の底板の表面に対して滑らかな球面により連設するので、底板と係止部との間の段差部を小さくすることができ、底板全域の平滑性を保持することができるので、集砂受枠内を流通する雨水中の砂が係止部と底板との境界部分に溜まるのを防ぐことができ、洗浄などメンテナンスにかかる時間や手間を低減することができる。
【００１９】
また、本発明に係る集砂受枠の取付部材では、前記貫通穴は、前記集砂受枠の幅方向の中央部分に設けられていることが好ましい。
【００２０】
この場合には、集砂受枠の底板を例えば高圧ジェットにより洗浄する場合、そのノズルが集砂受枠の幅方向の両側に片寄るため、幅方向の中央部分に係止部を配置することで、ノズルに干渉することがなく、洗浄時の作業性を維持することができる。
【発明の効果】
【００２１】
本発明の集砂受枠の取付部材によれば、集砂受枠の底板の適宜な位置に取り付けることが可能であるので、取付部材における取付け位置の自由度を高めることで、施工性の向上を図ることができる。
【図面の簡単な説明】
【００２２】
【図１】本発明の実施の形態による雨水貯留浸透槽の構成を示す斜視図である。
【図２】図１に示す雨水貯留浸透槽の分解斜視図である。
【図３】取付部材の側面図であって、（ａ）は一方向から見た図、（ｂ）は（ａ）の取付部材をピン軸回りに９０°回転させた図である。
【図４】取付部材の斜視図である。
【発明を実施するための形態】
【００２３】
以下、本発明の実施の形態による集砂受枠の取付部材について、図面に基づいて説明する。
【００２４】
図１の符号１は、地下において雨水を集めるとともに、外部に流出又は浸透させる雨水貯留浸透槽を示している。雨水貯留浸透槽１は、上下に嵌合する図示しない上部組付け部材及び下部組付け部材３と、下部組付け部材３の底盤体３０に載置された溝形状の集砂受枠４と、を備えている。そして、本実施の形態による集砂受枠４の取付部材１０は、雨水貯留浸透槽１において、集砂受枠４を下部組付け部材３に対して保持するためのものである。
【００２５】
図１に示すように、前記上部組付け部材及び下部組付け部材３は、例えば射出成形によって形成されるポリプロピレンなどの合成樹脂からなり、所望の一方向に沿って並べて設けられ、さらに縦方向にも重ねて組み合わせられることで、これら複数組の組付け部材のそれぞれの内部に雨水を貯留する貯留空間Ｒを有している。このときの一方向の配列方向を、以下、「長さ方向Ｘ」という。上下の組付け部材は、嵌合により縦方向（上下方向）に連結可能であり、長さ方向Ｘには連結させずに配置されている。なお、長さ方向Ｘに隣接する組付け部材同士の適宜な連結手段により連結させることも可能である。そして、集砂受枠４は、その受枠軸Ｏを長さ方向Ｘに沿う方向に向けて配設されている。
ここで、以下の説明では、平面視で長さ方向Ｘに直交する方向であって、受枠軸Ｏに対して水平方向に直交する方向を幅方向Ｗとする。
【００２６】
図１および図２に示すように、下部組付け部材３の底盤体３０は、平面視で矩形状（ここでは正方形状）の底盤３１を備え、底盤３１の外周縁部から全周にわたって周壁リブ３２が立設され、平面視で周壁リブ３２の内側に底盤３１から突設して中央リブ３３（縦リブ３３Ａ、横リブ３３Ｂ）が縦横方向（長さ方向Ｘ及び幅方向Ｗ）に沿って設けられている。周壁リブ３２および中央リブ３３は同じ高さで設けられ、これらリブ上端を含む平面の四隅の角部において、三角柱状で上方に突出する嵌合部３４が形成されている。嵌合部３４は、図示しない上部組付け部材と嵌合する。なお、嵌合部３４は、底盤３１とリブ３２、３３とからなるブロック体に対して一体でも別体でもよい。
【００２７】
下部組付け部材３のリブ３２、３３を有する底盤体３０の幅方向Ｗの中央には、集砂受枠４が長さ方向Ｘに沿って載置されている。集砂受枠４は、長さ方向Ｘの一端側と他端側のそれぞれにおいて、幅方向Ｗで一対の嵌合部３４、３４同士の間に配置され、リブ３２、３３に対して非固定状態で設けられている。
【００２８】
図１および図２に示すように、集砂受枠４は、底板４１及びその両側端から立設する側板４２、４２を有し、上端から幅方向Ｗの外側に向けて延ばされた上縁カール部が設けられている。
【００２９】
集砂受枠４は、組み付けられた上部組付け部材と下部組付け部材３との間に形成される貯留空間Ｒに配置され、雨水とともに流入した土砂を集積するものであり、長さ方向Ｘに配列された複数の下部組付け部材３の全体にわたって長さ方向Ｘに連続するように配置される。
底板４１には、集砂受枠４の長さ方向Ｘの中心部で、且つ幅方向Ｗの中心部に厚さ方向に貫通する円形状の貫通穴４４が形成されている。貫通穴４４の内径は、後述する取付部材１０の挿通ピン１１の外径と同等、或いはその外径よりも僅かに大きい寸法に決められている。
【００３０】
図３（ａ）、（ｂ）および図４に示すように、取付部材１０は、図２に示す集砂受枠４の貫通穴４４に挿通可能な挿通ピン１１と、挿通ピン１１のピン軸方向の一端に設けられていて、貫通穴４４よりも大径に形成された係止部１２と、挿通ピン１１の他端（下端１１ａ）側に設けられていて、挿通ピン１１が図２に示す貫通穴４４に挿通された状態で下部組付け部材３の底盤体３０の縦リブ３３Ａに係合可能なスリット溝１３（係合部）と、を備えている。
【００３１】
挿通ピン１１は、ピン軸方向の全長にわたって同径であり、その下端１１ａから係止部１２の手前の位置までピン軸方向に沿って前記スリット溝１３が設けられている。このスリット溝１３は、挿通ピン１１の断面を二分割にする割溝であり、形成されるスリット面は平面形状をなしている。スリット溝１３の開口幅は、下端１１ａから上端（係止部１２）側に向かうに従い漸次、小さくなる寸法となり、下端１１ａ側で縦リブ３３Ａの厚みよりも大きく、係止部１２側で縦リブ３３Ａの厚みより若干小さくなる溝幅に設定されている。つまり、挿通ピン１１は、スリット溝１３に縦リブ３３Ａを嵌入させることで係合される。
スリット溝１３の下端１１ａ部分には、下端１１ａへ向かうに従い漸次、開口幅が広がるテーパー面１３ａが形成されている。
【００３２】
係止部１２は、下面１２ａがピン軸方向に直交する平面をなし、上面１２ｂが球面状に形成されている。
また、挿通ピン１１の外周面には、係止部１２から下側に間隔をあけた部分に、挿通ピン１１の径方向外側に向けて突出するとともに、周方向全周にわたって延在する弾性変形可能な抜け防止凸部１４が形成されている。本実施の形態では、係止部１２の下面１２ａと抜け防止凸部１４との間の部分（図３に示す外周凹部１０ａ）のピン軸方向の間隔は、集砂受枠４の底板４１の厚さ寸法と略同じ寸法に設定されている。そして、抜け防止凸部１４は、貫通穴４４よりも大径となるように形成されている。
【００３３】
以上説明した集砂受枠の取付部材によれば、以下の作用効果を奏する。
すなわち、図１および図２に示すように、本実施の形態の集砂受枠の取付部材１０では、集砂受枠４の貫通穴４４に挿通された挿通ピン１１の下端１１ａ側に設けられるスリット溝１３が下部組付け部材３の底盤体３０における縦リブ３３Ａに係合した状態で、挿通ピン１１の一端に設けられる係止部１２が集砂受枠４の底板４１の上側に位置するので、底板４１の上方への移動を係止部１２によって規制することができる。そのため、集砂受枠４が何らかの外力を受けて浮き上がろうとするときに、底板４１が係止部１２の下面１２ａに当接し、集砂受枠４が上方へ移動しないように上から押さえられるので、集砂受枠４の浮き上がりを防止することができる。また、幅方向Ｗ（横方向）へ移動しようとする集砂受枠４の移動は、底板４１の貫通穴４４に挿通されている挿通ピン１１によって規制されることになる。
【００３４】
したがって、下部組付け部材３に集砂受枠４を取り付ける施工時や、集砂受枠４を高圧ジェット等を用いて洗浄する時などに、集砂受枠４に対して外力が作用しても、取付部材１０によって集砂受枠４が保持され、浮き上がったり、幅方向にずれたりすることがなく、集砂受枠４の位置や姿勢を維持することができる。
【００３５】
また、挿通ピン１１を挿通させるための貫通穴４４は、縦リブ３３Ａの位置など下部組付け部材３の構成に合わせて適宜な位置に設けることが可能であり、取付部材１０の取付け位置の自由度を高めることができる。そのため、現場で貫通穴４４の位置を確認したうえで、容易に貫通穴４４を開ける施工が可能となり、施工性を向上させることができる。
また、係止部１２およびスリット溝１３を備えた挿通ピン１１を底板４１の貫通穴４４に挿入するだけの簡単な構造により集砂受枠４を保持することができるので、施工が容易であり、部材コストを低減することができる。
【００３６】
さらに、雨水貯留浸透槽１を構成する下部組付け部材３に対して直接、取付部材１０を装着することができ、従来のように取付部材と組付け部材との間に、取付部材を取り付けるための別部材が不要となるので、部材費の増大を抑えることができる。
【００３７】
また、本実施の形態の取付部材１０では、スリット溝１３に底盤体３０に設けられた縦リブ３３Ａを挿嵌することで、挿通ピン１１と下部組付け部材３とが固定されるので、挿通ピン１１が上方に向けて抜け出すのを防止することができる。とくに、集砂受枠４の長手方向に沿う縦リブ３３Ａを取付部材１０のスリット溝１３に挿嵌させることで、取付部材１０の縦リブ３３Ａの延在方向に直交する幅方向Ｗへの移動を規制することができ、集砂受枠４をより確実に保持することができる。
また、この場合、リブ３３Ａ、３３Ｂの所定位置に挿通ピン１１を係合させることができるので、取付け位置に自由度をもたせることができる。
【００３８】
また、スリット溝１３が挿通ピン１１の下端１１ａ側から係止部１２側に向かうに従い漸次、小さくなっているので、スリット溝１３が縦リブ３３Ａに対して楔状に挿嵌され、挿通ピン１１と下部組付け部材３とが強固に固定されるので、挿通ピン１１が上方に向けて容易に抜け出すのを防止することができる。
【００３９】
さらに、挿通ピン１１の外周面に抜け防止凸部１４が形成されているので、挿通ピン１１を底板４１の貫通穴４４に挿通させる際には、挿通ピン１１の抜け防止凸部１４を弾性変形させつつ貫通穴４４を通過させることで、抜け防止凸部１４と係止部１２とによって底板４１の貫通穴４４周囲の部分を挟持した状態で、取付部材１０を下部組付け部材３に装着することができる。そのため、抜け防止凸部１４が底板４１の下側に位置し、挿通ピン１１の上方への抜けを確実に防止することができる。
【００４０】
さらにまた、本実施の形態の取付部材１０は、係止部１２の上面が球面状に形成されていることから、係止部１２が集砂受枠４の底板４１の表面に対して滑らかな球面により連設するので、底板４１と係止部１２との間の段差部を小さくすることができ、底板４１全域の平滑性を保持することができるので、集砂受枠４内を流通する雨水中の砂が係止部１２と底板４１との境界部分に溜まるのを防ぐことができ、洗浄などメンテナンスにかかる時間や手間を低減することができる。
【００４１】
また、貫通穴４４が集砂受枠４の幅方向Ｗの中央部分に設けられているので、集砂受枠４の底板４１を例えば高圧ジェットにより洗浄する場合、そのノズルが集砂受枠４の幅方向Ｗの両側に片寄るため、幅方向Ｗの中央部分に係止部１２を配置することで、ノズルに干渉することがなく、洗浄時の作業性を維持することができる。
【００４２】
上述のように本実施の形態による取付部材１０では、集砂受枠４の底板４１の適宜な位置に取り付けることが可能であるので、取付部材１０における取付け位置の自由度を高めることで、施工性の向上を図ることができる。
【００４３】
以上、本発明による集砂受枠の取付部材の実施の形態について説明したが、本発明は上記の実施の形態に限定されるものではなく、その趣旨を逸脱しない範囲で適宜変更可能である。
【００４４】
例えば、上述の本実施の形態では挿通ピン１１を二分割にするスリット溝１３としているが、これに限定されることはなく、例えば断面視でＴ字状になるように３分割としてもよいし、断面視で十字状になるように４分割としてもよい。また、挿通ピン１１の下端１１ａに設けられる係合部は、スリット溝１３に限定されず、例えば底盤体３０の底盤３１やリブ３３に形成された係止穴に差し込むような突起部であっても良い。
なお、本実施の形態では、スリット溝１３を縦リブ３３Ａに挿嵌させているが、横リブ３３Ｂであってもかまわない。
【００４５】
また、集砂受枠４に形成される貫通穴４４は、製造時に形成してもよいし、現場で穴あけ治具を用いて所望の位置に形成してもよい。この貫通穴４４をあける際には、あける位置を分かり易くするために、底板４１にけがき線を表記するようにしても良い。
【００４６】
さらに本実施の形態では、挿通ピン１１の外周面に周方向の全周にわたって抜け防止凸部１４を設けているが、この抜け防止凸部１４は省略することも可能であり、また、全周でなく、周方向の一部のみに設けられるものであってもよい。
【００４７】
また、係止部の形状も本実施の形態のように上面１２ｂが球面状に形成されていることに制限されることはなく、平面状であってその平面視外周縁に底板４１に滑らかに連設するテーパー面が形成された構成とすることができる。そして、係止部１２の平面視形状も円形に限らず、矩形あるいは多角形などとくに制限されることはない。
【００４８】
また、取付部材１０の数量も、１つの下部組付け部材３において１つに限らず複数設けることも可能である。そして、貫通穴４４は集砂受枠４の幅方向Ｗの中央部分でなく、側板４２寄りに片寄った位置であってもかまわない。
【００４９】
下部組付け部材３がポリプロピレンなどの合成樹脂製の部材のものを採用しているが、このような部材に限定されることはなく、例えばコンクリートや金属製の部材を用いることも可能である。そして、下部組付け部材３の形状、大きさ、リブや周壁部の構成は、限定されるものではなく適宜変更可能である。
【００５０】
その他、本発明の趣旨を逸脱しない範囲で、上記した実施の形態における構成要素を周知の構成要素に置き換えることは適宜可能である。
【符号の説明】
【００５１】
１  雨水貯留浸透槽
３  下部組付け部材
４  集砂受枠
１０  取付部材
１１  挿通ピン
１１ａ  下端
１２  係止部
１２ａ  下面
１２ｂ  上面
１３  スリット溝（係合部）
１４  抜け防止凸部
３３Ａ  縦リブ
４１  底板
４２  側板
４４  貫通穴
Ｗ  幅方向
Ｘ  長さ方向
【図１】
2014070386.tif 000003
【図２】
2014070386.tif 000004
【図３】
2014070386.tif 000005
【図４】
2014070386.tif 000006